(57)【要約】    【課題】  デコーダからホストコンピュータへの転送レートを計測できなくとも情報記録光ディスクの回転速度を適切に決めることができる情報記録光ディスクの回転制御方法を提供する。    【解決手段】  情報記録光ディスク１０１に記録の情報を読み出してデコーダ１０６でデコードしている際の、単位時間あたりのデコードの有無を測定してデコードの割合を算出し、算出した該割合に応じて情報記録光ディスク１０１の回転速度を決める。【選択図】  図２
2005149542.tif 000002
【特許請求の範囲】
【請求項１】
情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合に応じて前記情報記録光ディスクの回転速度を決めることを特徴とする情報記録光ディスク装置における情報記録光ディスクの回転制御方法。
【請求項２】
情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合が予め定めたしきい値以上かを判断し、該しきい以上のときは前記情報記録光ディスクの回転速度を予め定めた高速の回転速度に切り替えることを特徴とする情報記録光ディスク装置における情報記録光ディスクの回転制御方法。
【請求項３】
情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合が予め定めた第１のしきい値以上かを判断し、該第１のしきい以上のときは前記情報記録光ディスクの回転速度を予め定めた高速の回転速度に切り替え、前記第１のしきい以上でないときは予め定めた第２のしきい値以下かを判断し、該第２のしきい値以下のときは前記情報記録光ディスクの回転速度を予め定めた低速の回転速度に切り替えることを特徴とする情報記録光ディスク装置における情報記録光ディスクの回転制御方法。
【請求項４】
請求項２記載において、前記単位時間あたりのデコードの有無を測定して該デコードの割合を算出し、算出した該割合が予め定めた前記しきい値以上であることが、少なくとも次のホストコンピュータからの情報読み出しコマンドに対しても続いたときに、前記情報記録光ディスクの回転速度を予め定めた高速の回転速度に切り替えることを特徴とする情報記録光ディスク装置における情報記録光ディスクの回転制御方法。
【請求項５】
請求項３記載において、前記単位時間あたりのデコードの有無を測定して該デコードの割合を算出し、算出した該割合が予め定めた前記第１のしきい値以上であることが、少なくとも次のホストコンピュータからの情報読み出しコマンドに対しても続いたときに、前記情報記録光ディスクの回転速度を予め定めた高速の回転速度に切り替え、前記単位時間あたりのデコードの有無を測定して該デコードの割合を算出し、算出した該割合が予め定めた前記第２のしきい値以下であることが、少なくとも次のホストコンピュータからの情報読み出しコマンドに対しても続いたときに、前記情報記録光ディスクの回転速度を予め定めた低速の回転速度に切り替えることを特徴とする情報記録光ディスク装置における情報記録光ディスクの回転制御方法。
【発明の詳細な説明】
【技術分野】
【０００１】
本発明は、情報記録光ディスクを所定の回転速度で回転させ、ホストコンピュータからの情報読み出しコマンドに応答して情報記録光ディスクに記録の情報を読み出しホストコンピュータに転送する情報記録光ディスク装置における情報記録光ディスクの回転制御方法関する。
【背景技術】
【０００２】
情報記録光ディスクに記録の情報を再生する際、情報記録光ディスクに記録の情報がＣＤオーディオの場合は、情報記録光ディスクを、規格で定められている規定の回転速度（この回転速度が基準の１倍速）で回転させて、情報記録光ディスクに記録の情報を読み出し、デコーダで、情報記録光ディスク装置に接続されたホストコンピュータの情報形式に変換するデコードをしてから、ホストコンピュータに送り、ホストコンピュータ側で再生している。
【０００３】
それに対して、情報記録光ディスクに記録の情報がビデオＣＤの場合は、情報記録光ディスクを、ＭＰＥＧで圧縮されている情報を再生することが可能な、上記規定の回転速度に対して２倍速以上の回転速度、例えば８倍速（低速：後述の高速４０倍速に対して低速）で回転させて、情報記録光ディスクに記録の情報を読み出し、デコーダで、情報記録光ディスク装置に接続されたホストコンピュータの情報形式に変換するデコードをしてから、ホストコンピュータに送り、ホストコンピュータ側で再生している。
【０００４】
一方、情報記録光ディスクに記録のビデオＣＤを再生ではなく例えばバックアップ用としてすなわち単にデータ用としてホストコンピュータ側に送る場合には、情報記録光ディスクを、再生用の上記８倍速より高速の例えば４０倍速で回転させて、情報記録光ディスクに記録のビデオＣＤをデータ用として短時間に読み出しかつデコードして、ホストコンピュータ側に送るようにしている。
【０００５】
また、情報記録光ディスクを、高速の例えば４０倍速で回転させて、情報記録光ディスクに記録のビデオＣＤを再生用として読み出しかつデコードして、ホストコンピュータ側に送ることもできる。
【０００６】
しかしながら、情報記録光ディスクを高速の例えば４０倍速で回転させると、情報記録光ディスクの回転時の振動による騒音や消費電力が大きくなる。
【０００７】
情報記録光ディスクに記録の情報がＣＤオーディオの場合や、ＤＶＤビデオの場合も同様な課題が発生する。
【０００８】
そこで、情報記録光ディスクに記録の情報を再生用としてホストコンピュータ側に送る場合と、情報記録光ディスクに記録の情報を単にデータ用としてホストコンピュータ側に送る場合とで、情報記録光ディスクの回転速度を変え、情報記録光ディスクに記録の情報を再生用としてホストコンピュータ側に送る場合には、情報記録光ディスクの回転速度を低速にし、情報記録光ディスクに記録の情報をデータ用としてホストコンピュータ側に送る場合には、情報記録光ディスクの回転速度を高速にするようにしている。
【０００９】
その例として、情報記録光ディスクを所定の回転速度で回転させ、ホストコンピュータからの情報読み出しコマンドに応答して情報記録光ディスクに記録の情報を読み出しホストコンピュータに転送する際、情報記録光ディスク装置からホストコンピュータ側に転送する平均転送レートを計測し、計測した平均転送レートが低い場合は、情報記録光ディスクの回転速度を低速に下げて、情報記録光ディスクに記録の情報を再生用として読み出し、必要以上に高速で読み出すことを避けて、情報記録光ディスクの回転時の騒音や消費電力の低減を図り、計測した平均転送レートが高い場合は、情報記録光ディスクの回転速度を高速に上げて、短時間に読み出してホストコンピュータ側に送るようにしている（例えば特許文献１参照）
【００１０】
【特許文献１】特開２００２−８３１５号公報（００１０、００１１、００４６〜００５２）
【発明の開示】
【発明が解決しようとする課題】
【００１１】
通常、情報記録光ディスクに記録の情報を読み出す情報記録光ディスク読出部と、該読出部で読み出した情報をホストコンピュータの情報形式にデコード（変換）するデコーダと、該デコーダでデコードした情報を記憶するバッファは、ＤＳＰ（デジタル・シグナル・プロセッサ）として、１個のＬＳＩに内蔵されている。
【００１２】
最近、情報記録光ディスク装置に用いる上記ＤＳＰとして、情報記録光ディスクに記録の情報を読出部で読み出してデコーダでデコードしてバッファに記憶し、記憶したデコード情報に含まれるデータアドレスが、ホストコンピュータからの情報読み出しコマンドと一致しているかを、ＤＳＰ内部で判断し、一致した場合は、ＤＳＰ外部のマイクロプロセッサに通知することなく、記憶したデコード情報をホストコンピュータに転送するようにしたＤＳＰのＬＳＩが市販されている。
【００１３】
なお、このＤＳＰにおいて、バッファ１０７に記憶したデコード情報に含まれるデータアドレスが、ホストコンピュータからの情報読み出しコマンドと一致しない場合は、ＤＳＰ外部に出力され、ＤＳＰ外部のマイクロプロセッサに通知される。そのときマイクロプロセッサはＤＳＰ外部のＲＯＭに記録されているプログラムにしたがい、情報記録光ディスクから次のデータアドレスを有する情報を読み出すようにしている。
【００１４】
読出部で読み出した次のデータアドレスを有する情報をデコーダでデコードしバッファに記憶し、記憶したデコード情報のアドレスがホストコンピュータからの情報読み出しコマンドと一致したとき、ＤＳＰ外部のマイクロプロセッサに通知することなく、記憶したデコード情報をホストコンピュータに転送する。
【００１５】
したがってこのようなＤＳＰを情報記録光ディスク装置に搭載したときには、ＤＳＰのデコーダからホストコンピュータへの転送が、ＤＳＰとホストコンピュータ間で転送処理が行われるので、転送する際の転送レートをＤＳＰ外部から知る（認識）ことができない。
【００１６】
本発明の目的は、デコーダからホストコンピュータへの転送レートを計測できなくとも情報記録光ディスクの回転速度を適切に決めることができる情報記録光ディスクの回転制御方法を提供することにある。
【課題を解決するための手段】
【００１７】
本発明による請求項１記載の情報記録光ディスク装置における情報記録光ディスクの回転制御方法は、情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合に応じて前記情報記録光ディスクの回転速度を決めることを特徴とする。
【００１８】
本発明による請求項２記載の情報記録光ディスク装置における情報記録光ディスクの回転制御方法は、情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合が予め定めたしきい値以上かを判断し、該しきい以上のときは前記情報記録光ディスクの回転速度を予め定めた高速の回転速度に切り替えることを特徴とする。
【００１９】
本発明による請求項３記載の情報記録光ディスク装置における情報記録光ディスクの回転制御方法は、情報記録光ディスクを所定の回転速度で回転させ、ホストコンピュータからの情報読み出しコマンドに応答して前記情報記録光ディスクに記録の情報を読み出し前記ホストコンピュータに転送する情報記録光ディスク装置において、前記情報記録光ディスクに記録の情報を読み出してデコーダでデコードしている際の、単位時間あたりのデコードの有無を測定して該デコードの割合を算出し、算出した該割合が予め定めた第１のしきい値以上かを判断し、該第１のしきい以上のときは前記情報記録光ディスクの回転速度を予め定めた高速の回転速度に切り替え、前記第１のしきい以上でないときは予め定めた第２のしきい値以下かを判断し、該第２のしきい値以下のときは前記情報記録光ディスクの回転速度を予め定めた低速の回転速度に切り替えることを特徴とする。
【００２０】
本発明による請求項４記載の情報記録光ディスク装置における情報記録光ディスクの回転制御方法は、請求項２記載において、前記単位時間あたりのデコードの有無を測定して該デコードの割合を算出し、算出した該割合が予め定めた前記しきい値以上であることが、少なくとも次のホストコンピュータからの情報読み出しコマンドに対しても続いたときに、前記情報記録光ディスクの回転速度を予め定めた高速の回転速度に切り替えることを特徴とする。
【００２１】
本発明による請求項５記載の情報記録光ディスク装置における情報記録光ディスクの回転制御方法は、請求項３記載において、前記単位時間あたりのデコードの有無を測定して該デコードの割合を算出し、算出した該割合が予め定めた前記第１のしきい値以上であることが、少なくとも次のホストコンピュータからの情報読み出しコマンドに対しても続いたときに、前記情報記録光ディスクの回転速度を予め定めた高速の回転速度に切り替え、前記単位時間あたりのデコードの有無を測定して該デコードの割合を算出し、算出した該割合が予め定めた前記第２のしきい値以下であることが、少なくとも次のホストコンピュータからの情報読み出しコマンドに対しても続いたときに、前記情報記録光ディスクの回転速度を予め定めた低速の回転速度に切り替えることを特徴とする。
【発明の効果】
【００２２】
本発明によれば、デコーダからホストコンピュータへの転送レートを計測できなくとも情報記録光ディスクの回転速度を適切に決めることができる情報記録光ディスクの回転制御方法を得ることができる。
【発明を実施するための最良の形態】
【００２３】
本発明に係る実施の形態について、以下、図を用いて説明する。
【００２４】
図１は、本発明に係る情報記録光ディスク装置の回転制御方法を有する情報記録光ディスク装置を含む転送システムの実施の形態の構成図である。図１において、１０１は情報記録光ディスク、１０２は情報記録光ディスク装置、１０３はホストコンピュータである。
【００２５】
情報記録光ディスク装置１０２は、情報記録光ディスク１０１を回転させる再生速度制御部１０４と、情報記録光ディスク１０１に記録の情報を読み出す情報記録光ディスク読出部１０５と、読み出した情報をホストコンピュータ１０３の情報形式にデコード（変換）するデコーダ１０６と、デコードした情報を記憶するバッファ１０７を有する。情報記録光ディスク読出部１０５とデコーダ１０６とバッファ１０７は、ＤＳＰ（デジタル・シグナル・プロセッサ）として、１個のＬＳＩに内蔵されている。
【００２６】
また情報記録光ディスク装置１０２は、再生速度制御部１０４と情報記録光ディスク読出部１０５とデコーダ１０６を制御するマイクロプロセッサ１０９と、図２のフローチャートを実行するプログラムを記憶のＲＯＭ１１０と、ＲＡＭ１１１を有する。
【００２７】
動作としては、情報記録光ディスク１０１に記録の情報を情報記録光ディスク読出部１０５で読み出し、デコーダ１０６でデコードしてバッファ１０７に記憶し、記憶したデコード情報に含まれるデータアドレスが、ホストコンピュータ１０３からの情報読み出しコマンドと一致しているかをＤＳＰ１０８内部で判断し、一致した場合は、ＤＳＰ１０８外部のマイクロプロセッサ１０９に通知することなく、記憶したデコード情報をホストコンピュータ１０３に転送する。
【００２８】
バッファ１０７に記憶したデコード情報に含まれるデータアドレスが、ホストコンピュータからの情報読み出しコマンドと一致しない場合は、ＤＳＰ１０８外部に出力され、ＤＳＰ１０８外部のマイクロプロセッサ１０９に通知される。そのときマイクロプロセッサ１０９はＤＳＰ１０８外部のＲＯＭ１１０に記録されているプログラムにしたがい、情報記録光ディスク１０１から次のデータアドレスを有する情報を情報記録光ディスク読出部１０５で読み出す。
【００２９】
情報記録光ディスク読出部１０５で読み出した次のデータアドレスを有する情報をデコーダ１０６でデコードしバッファ１０７に記憶し、記憶したデコード情報のアドレスがホストコンピュータ１０３からの情報読み出しコマンドと一致したとき、ＤＳＰ１０８外部のマイクロプロセッサ１０９に通知することなく、記憶したデコード情報をホストコンピュータ１０３に転送する。
【００３０】
図２は、本発明に係る情報記録光ディスク装置の回転制御方法を有する情報記録光ディスク装置を含む転送システムの実施の形態の動作を示すフローチャートである。このフローチャートは図１のＲＯＭ１１０に記憶してある。
【００３１】
ここで、情報記録光ディスク１０１は記録の情報がビデオＣＤの場合であり、このフローチャートを実行する前に、マイクロプロセッサ１０９は再生速度制御部１０４に指示して情報記録光ディスク１０１を予め定めた所定の回転速度例えば８倍速で回転させる。
【００３２】
図２のフローチャートは、ホストコンピュータ１０３が情報記録光ディスク装置１０２に、情報記録光ディスク１０１に記録の情報を読み出してホストコンピュータ１０３に転送するよう、情報読み出しコマンドを送り、情報記録光ディスク装置１０２はその情報読み出しコマンドを受け取り、マイクロプロセッサ１０９がＲＯＭ１１０に記憶しているこのフローチャートをスタートさせる。
【００３３】
ステップ２０１では、情報記録光ディスク１０１に記録されている情報を、マイクロプロセッサ１０９の指示により情報記録光ディスク読出部１０５で読み出す。
【００３４】
ステップ２０２では、読み出した情報を、マイクロプロセッサ１０９の指示によりデコーダ１０６でホストコンピュータ１０３の情報形式にデコード（変換）する。またデコーダでデコードしている際、マイクロプロセッサ１０９で、単位時間あたりのデコードの有無を測定してデコードの割合を算出する。
【００３５】
図３は、ホストコンピュータ１０３からの情報読み出しコマンドに応答して、情報記録光ディスク１０１に記録されている情報を読み取り後にデコーダ１０６でデコードしている際の、単位時間あたりのデコードの有無を測定してデコードの割合を算出するための説明図である。
【００３６】
図３に示すように、ホストコンピュータ１０３からの情報読み出しコマンドは、再生用としての情報読み出しコマンドＡと、データ用としての情報読み出しコマンドＢの２種類ある。
【００３７】
ここで、再生用としての情報読み出しコマンドＡは、コマンド１による要求開始に基づくデコーダ１０６によるデコード情報のホストコンピュータ１０３への情報転送１から、次のコマンド２による要求開始までの間に時間間隔がある。
【００３８】
それに対して、データ用としての情報読み出しコマンドＢは、コマンド１による要求開始に基づくデコーダ１０６によるデコード情報のホストコンピュータ１０３への情報転送１から、次のコマンド２による要求開始までの時間間隔が、再生用としての情報読み出しコマンドＡのときに比較して小さい。
【００３９】
本発明はこの点に着目し、マイクロプロセッサ１０９で、単位時間あたりの該デコードしている時間の割合を測定するもので、単位時間（例えば１秒）につき、それより細かい測定単位時間毎の測定ポイントＡ，Ｂ，ｃ，…で、デコーダ１０６によるデコード情報の有無を測定し、単位時間あたりのデコードの割合を算出する。こうすれば、再生用としての情報読み出しコマンドＡとデータ用としての情報読み出しコマンドＢとで異なった単位時間あたりのデコードの割合を得ることができ、再生用としての情報読み出しコマンドＡのときは割合が少なく例えば４０％である。それに対して、データ用としての情報読み出しコマンドＢのときは、割合が多く例えば９０％である。
【００４０】
図２に戻り、次のステップ２０３では、ステップ２０２で算出した割合がしきい値１以上かを、マイクロプロセッサ１０９で判断する。ここでしきい値１を例えば８０％とすると、デコーダ１０６によるデコード情報が、データ用としての情報読み出しコマンドＢに応答する情報のときは、割合が９０％でしきい値１の８０％以上なのでＹｅｓとなり、一方再生用としての情報読み出しコマンドＡに応答する情報のときは、割合が４０％でしきい値１以上ではないのでＮｏとなる。
【００４１】
ステップ２０３でＹｅｓのときは、ステップ２０４において、マイクロプロセッサ１０９は再生速度制御部１０４に指示して情報記録光ディスク１０１を高速の例えば４０倍速に切り替えて回転させる。
【００４２】
ステップ２０３でＮｏのときは、ステップ２０５において、ステップ２０２で算出した割合がしきい値２より以下であるかを、マイクロプロセッサ１０９で判断する。ここでしきい値２を例えば５０％とすると、デコーダ１０６によるデコード情報が再生用としての情報読み出しコマンドＡに応答する情報のときは、割合が４０％でしきい値２以下なのでＹｅｓとなる。
【００４３】
ステップ２０５でＹｅｓのときは、ステップ２０６において、マイクロプロセッサ１０９は再生速度制御部１０４に指示して情報記録光ディスク１０１を低速の例えば８倍速に切り替えて回転させる。
【００４４】
ステップ２０５でＮｏのときは、情報記録光ディスク１０１の回転速度を切り替えないでステップ２０２に戻り、ステップ２０２で、次の単位時間あたりのデコードしている時間の割合を算出する。
【００４５】
ステップ２０５およびステップ２０５でＮｏのときは、情報読み出しコマンドに応答する情報が情報読み出しコマンドＡに応答する情報なのか情報読み出しコマンドＢに応答する情報なのか不明なので、情報記録光ディスク１０１の回転速度を切り替えないで、次の単位時間あたりのデコードの有無を測定してデコードの割合を算出し、情報読み出しコマンドＡに応答する情報なのか情報読み出しコマンドＢに応答する情報なのかを再度やり直す。
【００４６】
上記フローチャートにおいて、ステップ２０５を削除して、しきい値１のみで情報記録光ディスク１の回転速度を切り替えるようにしても良い。
【００４７】
また、ステップ２０３とステップ２０４で、単位時間あたりのデコードの有無を測定してデコードの割合を算出したときのしきい値に対する結果と、次の複数のホストコンピュータからの情報読み出しコマンドに対して算出したときのしきい値に対する結果とが一致したときに、始めてＹｅｓ，Ｎｏと、マイクロプロセッサ１０９で判断するようにすれば、情報記録光ディスクの回転速度をより適切に切り替えることができる。
【００４８】
したがって本実施の形態によれば、単位時間あたりのデコードの有無を測定してデコードの割合を算出することで、従来のようにデコーダからホストコンピュータへの転送レートを計測できなくとも、情報記録光ディスクに記録の情報を再生用としてホストコンピュータ側に送る場合と、情報記録光ディスクに記録の情報を単にデータ用としてホストコンピュータ側に送る場合とで、情報記録光ディスクの回転速度を適切に決めることができる。
【図面の簡単な説明】
【００４９】
【図１】本発明に係る情報記録光ディスク装置の回転制御方法を有する情報記録光ディスク装置を含む転送システムの実施の形態の構成図である。
【図２】本発明に係る情報記録光ディスク装置の回転制御方法を有する情報記録光ディスク装置を含む転送システムの実施の形態の動作を示すフローチャートである。
【図３】ホストコンピュータからの情報読み出しコマンドに応答して、情報記録光ディスクに記録されている情報を読み取り後にデコーダでデコードしている際の、単位時間あたりのデコードの有無を測定してデコードの割合を算出するための説明図である。
【符号の説明】
【００５０】
１０１…情報記録光ディスク、１０２…情報記録光ディスク装置、１０３…ホストコンピュータ、１０４…再生速度制御部、１０５…情報記録光ディスク読出部、１０６…デコーダ、１０７…バッファ、１０８…ＤＳＰ、１０９…マイクロプロセッサ、１１０…ＲＯＭ、１１１…ＲＡＭ。
【図１】
2005149542.tif 000003
【図２】
2005149542.tif 000004
【図３】
2005149542.tif 000005